(57)【要約】  音声信号の帯域幅を疑似的に拡張するための方法および装置  本発明は、音声信号の帯域幅を擬似的に拡張する方法に関する。本発明による方法は、  ａ）広帯域の入力音声信号（ｓiwb（ｋ））を供給するステップと、  ｂ）帯域幅拡張に必要な該広帯域の入力音声信号（ｓiwb（ｋ））の信号成分（ｓeb（ｋ））を、該広帯域の入力音声信号（ｓiwb（ｋ））の拡張帯域から検出するステップと、  ｃ）該帯域幅拡張のために検出された該信号成分（ｓeb（ｋ））の時間的な包絡線を検出するステップと、  ｄ）該帯域幅拡張のために検出された該信号成分（ｓeb（ｋ））のスペクトル包絡線を検出するステップと、  ｅ）該時間的な包絡線およびスペクトル包絡線の情報を符号化し、符号化された該情報を帯域幅の拡張を実施するために供給するステップと、  ｆ）符号化された該情報を復号化し、帯域幅拡張された出力音声信号（ｓ°wb（ｋ））を生成するために、該時間的な包絡線およびスペクトル包絡線を、符号化された該情報から復号化するステップとを有する。  本発明はまた、音声信号の帯域幅を疑似的に拡張するための装置にも関する。
2008513848.tif 000002
【特許請求の範囲】
【請求項１】
音声信号の帯域幅を擬似的に拡張する方法において、
ａ）広帯域の入力音声信号（ｓiwb（ｋ））を供給するステップと、
ｂ）帯域幅拡張に必要な該広帯域の入力音声信号（ｓiwb（ｋ））の信号成分（ｓeb（ｋ））を、該広帯域の入力音声信号（ｓiwb（ｋ））の拡張帯域から検出するステップと、
ｃ）該帯域幅拡張のために検出された該信号成分（ｓeb（ｋ））の時間的な包絡線を検出するステップと、
ｄ）該帯域幅拡張のために検出された該信号成分（ｓeb（ｋ））のスペクトル包絡線を検出するステップと、
ｅ）該時間的な包絡線およびスペクトル包絡線の情報を符号化し、符号化された該情報を帯域幅の拡張を実施するために供給するステップと、
ｆ）符号化された該情報を復号化し、帯域幅拡張された出力音声信号（ｓ°wb（ｋ））を生成するために、該時間的な包絡線およびスペクトル包絡線を、符号化された該情報から復号化するステップ
とを有することを特徴とする方法。
【請求項２】
帯域幅拡張のために必要な前記信号成分（ｓeb（ｋ））を前記広帯域の入力音声信号（ｓiwb（ｋ））から、フィルタリングによって、たとえばバンドパスフィルタリングによって検出する、請求項１記載の方法。
【請求項３】
ステップｃ）において行われる前記時間的な包絡線の検出を、ステップｄ）において行われる前記スペクトル包絡線の検出に依存せずに行う、請求項１または２記載の方法。
【請求項４】
ステップｅ）で前記時間的な包絡線およびスペクトル包絡線の符号化を行う前に、該時間的な包絡線およびスペクトル包絡線の量子化を行う、請求項１から３までのいずれか１項記載の方法。
【請求項５】
ステップｄ）において前記スペクトル包絡線を検出するために、帯域幅拡張のために検出された前記信号成分（ｓeb（ｋ））のスペクトル副帯の信号出力（Ｐf（μ，λ））を検出する、請求項１から４までのいずれか１項記載の方法。
【請求項６】
前記スペクトル副帯の信号出力（Ｐf（μ，λ））を検出するために、帯域幅拡張のために検出された前記信号成分（ｓeb（ｋ））の信号セグメントを形成し、
該信号セグメントをたとえば変換し、たとえばＦＦ変換する、請求項５記載の方法。
【請求項７】
ステップｃ）において前記時間的な包絡線を検出するために、帯域幅拡張のために検出された前記信号成分（ｓeb（ｋ））の時間的な信号セグメントの信号強度（Ｐt（ｖ））を検出する、請求項１から６までのいずれか１項記載の方法。
【請求項８】
ステップｆ）において、前記時間的な包絡線およびスペクトル包絡線の再構築された形状に関する符号化された情報を復号化する、請求項１から７までのいずれか１項記載の方法。
【請求項９】
復号化器（５）において、該復号化器（５）に伝送された信号（ｓsi（ｋ））から励振信号（ｓexc（ｋ））を生成し、
該伝送された信号（ｓsi（ｋ））は、前記広帯域の入力音声信号（ｓiwb（ｋ））の拡張帯域の周波数領域に相応する周波数領域において、励振信号（ｓexc（ｋ））の生成を可能にする信号強度を有する、請求項１から８までのいずれか１項記載の方法。
【請求項１０】
前記復号化器（５）に、前記広帯域の入力音声信号（ｓiwb（ｋ））の拡張帯域の帯域領域を下回る帯域領域を有する変調された狭帯域の信号を、前記励振信号（ｓexc（ｋ））の生成のために伝送する、請求項９記載の方法。
【請求項１１】
前記励振信号（ｓexc（ｋ））は、前記復号化器（５）に伝送された信号（ｓsi（ｋ））の基本周波数の高調波を含む、請求項９または１０記載の方法。
【請求項１２】
前記時間的な包絡線の復号化された情報および励振信号（ｓexc（ｋ））から、第１の補正係数（ｇ1（ｋ））を検出する、請求項８および１１記載の方法。
【請求項１３】
前記第１の補正係数（ｇ1（ｋ））および励振信号（ｓexc（ｋ））から、前記時間的な包絡線の再構築形成を、たとえば該第１の補正係数（ｇ1（ｋ））と励振信号（ｓexc（ｋ））との乗算によって行う、請求項１２記載の方法。
【請求項１４】
前記時間的な包絡線の再構築形成されたものをフィルタリングし、フィルタリング時にインパルス応答（ｈ（ｋ））を生成する、請求項１３記載の方法。
【請求項１５】
前記インパルス応答（ｈ（ｋ））および時間的な包絡線の再構築形成から、前記スペクトル包絡線の再構築形成を行う、請求項１４記載の方法。
【請求項１６】
前記スペクトル包絡線の再構築形成から、前記広帯域の入力音声信号（ｓiwb（ｋ））の拡張帯域の信号成分（ｓeb（ｋ））を再構築する、請求項１５記載の方法。
【請求項１７】
復号化器（５）へ、前記広帯域の入力信号（ｓiwb（ｋ））の拡張帯域を下回る帯域領域を含む狭帯域の信号（ｓnb（ｋ））を伝送する、請求項１から１６までのいずれか１項記載の方法。
【請求項１８】
前記帯域幅拡張された出力音声信号（ｓ°wb（ｋ））を、前記復号化器（５）へ伝送された狭帯域の信号（ｓnb（ｋ））と前記スペクトル包絡線の再構築形成とから、たとえば両信号の加算から検出し、該復号化器（５）の出力信号として供給する、請求項１６および１７記載の方法。
【請求項１９】
前記ステップａ）〜ｅ）を符号化器（１）で行い、
ステップｄ）で生成された符号化された情報を、デジタル信号（ＢＷＥ）として復号化のために伝送する、請求項１から１８までのいずれか１項記載の方法。
【請求項２０】
前記広帯域の入力音声信号（ｓiwb（ｋ））は、約５０Ｈｚ〜約７ｋＨｚの間の帯域幅を有する、請求項１から１９までのいずれか１項記載の方法。
【請求項２１】
前記広帯域の入力音声信号（ｓiwb（ｋ））の拡張帯域は、約３．４ｋＨｚ〜約７ｋＨｚの周波数領域を有する、請求項１から２０までのいずれか１項記載の方法。
【請求項２２】
前記狭帯域の信号（ｓnb（ｋ））は、前記広帯域の入力音声信号（ｓiwb（ｋ））の約５０Ｈｚ〜約３．４ｋＨｚの信号領域を有する、請求項１７記載の方法。
【請求項２３】
音声信号の帯域幅を擬似的に拡張するための装置であって、
該装置に、広帯域の入力音声信号（ｓiwb（ｋ））が印加されるように構成された形式のものにおいて、
ａ）帯域幅拡張に必要な該広帯域の入力音声信号（ｓiwb（ｋ））の信号成分（ｓeb（ｋ））を、該広帯域の入力音声信号（ｓiwb（ｋ））の拡張帯域から検出するための手段と、
ｂ）帯域幅拡張のために検出された該信号成分（ｓeb（ｋ））の時間的な包絡線を検出するための手段と、
ｃ）帯域幅拡張のために検出された該信号成分（ｓeb（ｋ））のスペクトル包絡線を検出するための手段と、
ｄ）時間的な包絡線およびスペクトル包絡線を符号化し、符号化された情報を帯域幅の拡張を実施するために供給するための符号化器（１）と、
ｅ）符号化された該情報を復号化し、帯域幅拡張された出力音声信号（ｓ°wb（ｋ））を生成するために、該時間的な包絡線およびスペクトル包絡線を、符号化された該情報から復号化するための復号化器（５）
とを有することを特徴とする装置。
【請求項２４】
ａ）〜ｄ）の手段は符号化器（１）として構成されている、請求項２３記載の装置。
【発明の詳細な説明】
【技術分野】
【０００１】
本発明は、音声信号の帯域幅を疑似的に拡張するための方法および装置に関する。
【０００２】
音声信号は、たとえば発話者に依存して８０〜１６０Ｈｚの間にある音声基本周波数から１０ｋＨｚの周波数にまで達する幅広い周波数領域にわたる。しかし、たとえば電話等である特定の伝送媒体を介して行われる音声通信では、帯域幅効率の理由から、限定された一部しか伝送されず、保証されるセンテンス理解性は約９８％である。
【０００３】
電話システムに対して規定された３００Ｈｚ〜３．４ｋＨｚの最小帯域幅に相応して、音声信号を基本的に３つの周波数領域に下位分割することができる。これらの周波数領域はそれぞれ、固有の音声特性と主観的な感覚とを特徴づける。約３００Hzを下回る比較的低い周波数は基本的に、たとえば母音のような有声の音声部分で現れる。この周波数領域は、この場合はトーン成分を含む。すなわち、とりわけ音声基本周波数を有し、音域に依存して場合によっては幾つかの高調波も含む。
【０００４】
音声信号の音量および動的特性の主観的な感覚では、このような低域周波数が重要である。それに対して、音声基本周波数は人間の聴者によって、仮想的なピッチ感覚の音響心理学的特性に起因して、低域周波数が欠落した場合でも、比較的高い周波数領域に含まれる高調波構造から知覚することができる。したがって、発話行動時には基本的に音声信号中に、約３００Ｈｚ〜約３．４ｋＨｚの領域に中間的な周波数が存在する。複数のフォーマットによる前記周波数の時変のスペクトルカラーリングと、時間的なスペクトルの細密構造とが、その時点で発声された音ないしは音素を特徴づける。このようにして中間的な周波数は、音声理解性に関連する情報の大部分を搬送する。
【０００５】
それに対して無声音では、たとえば「ｓ」または「ｆ」等の鋭い音で特に強く現れるように、約３．４ｋHzを上回る高い周波数成分が生じる。「ｋ」または「ｔ」等のいわゆる破裂音も、強い高周波成分を含む幅広いスペクトルを有する。したがって、このような上方の周波数領域にある信号は、どちらかというとノイズ状でありかつ調性を有する。この領域にも存在するフォーマットの構造は時間的に比較的不変であるが、発話者が異なるごとに異なる。高い周波数成分は、音声信号の鮮明さ、有無および自然さにおいて重要である。というのも、このような高い周波数成分が存在しないと、音声は鈍く聞こえるからである。さらに、このような高い周波数成分によって、摩擦音および子音をより良好に区別できるようになるので、このような高い周波数成分によって音声の理解性の上昇も保証される。
【０００６】
帯域幅が制限された伝送チャネルを有する音声通信システムを介して音声信号が伝送される場合、基本的には、伝送すべき音声信号を可能な限り高品質で送信側から受信側へ伝送できるようにすることが望ましく、常に目標とされる。しかしこの音声品質は、多数の要素を有する主観的なパラメータであり、それらのうちで音声信号の理解性が、このような音声通信システムにおいて最も重要なパラメータである。
【０００７】
最新のデジタル伝送システムでは、すでに比較的高い音声理解性を実現できるようになっている。ここでは、電話帯域幅を（３．４ｋHzを上回る）高い周波数に拡張することによっても、（３００Hzを下回る）低い周波数に拡張することによっても、音声信号の主観的な判定が改善されることが公知になっている。したがって主観的な品質改善の点では、音声通信用のシステムにおいて、通常の電話帯域幅と比較して拡大された帯域幅を実現する努力が必要とされる。ここでは、伝送を修正し、符号化方式によってより幅広い伝送帯域幅を実現するか、または択一的に、疑似的な帯域幅拡張を行うという可能なアプローチがある。帯域幅のこのような拡張によって、受信側において周波数帯域幅が、５０Ｈｚ〜７ｋＨｚの領域まで拡大される。適切な信号処理アルゴリズムによって、狭帯域の音声信号の短いセグメントからパターン識別の手法によって、広帯域のモデルのパラメータが検出される。このパラメータはその後、音声の欠落した信号成分の評価に使用される。この手法では狭帯域の音声信号から、５０Ｈｚ〜７ｋＨｚの領域にある周波数成分を含む広帯域の補完部を生成し、この広帯域の補完部によって、主観的に知覚される音声品質が改善される。
【０００８】
現在の音声信号および音響信号の符号化アルゴリズムでは、疑似的な帯域幅拡張技術がますます使用されるようになってきている。たとえば、広帯域領域（５０Ｈｚ〜７ｋＨｚの音響的帯域幅）では、ＡＭＲ‐ＷＢ（Adaptive Multirate Wideband）符号化‐復号化アルゴリズム等の音声符号化標準方式が使用される。このＡＭＲ‐ＷＢ標準方式では、上方の周波数副帯（約６．４〜７ｋＨｚの周波数領域）は低周波成分から外挿される。このような符号化‐復号化方式では、帯域幅拡張は一般的に、比較的少数の副次的情報によって行われる。この副次的情報は、たとえばフィルタ係数または増幅率である。フィルタ係数はたとえば、ＬＰＣ（Linear Prediction Filter）方式によって形成することができる。このような副次的情報は、符号化されたビットストリームで受信側へ伝送される。現在、帯域幅拡張技術を基礎とする他の標準方式として、ＡＭＲ‐ＷＢ＋標準方式と、拡張ａａｃＰｌｕｓ音声／音響符号化‐復号化方式が見られる。情報を符号化および復号化するために構成された方式はコーデックと称され、符号化器および復号化器の双方を含む。固定網用に構成されたかまたは移動無線網用に構成されたかに関係なく、すべてのデジタル電話機はこのようなコーデックを含んでおり、このコーデックはアナログ信号をデジタル信号に変換し、デジタル信号をアナログ信号に変換する。このようなコーデックは、ハードウェアでもソフトウェアでも実現することができる。
【０００９】
現在、帯域幅拡張技術を使用する音声／音響信号符号化アルゴリズムを実現する際には、たとえば６．４〜７ｋＨｚの周波数領域にある拡張帯域の成分を既述のＬＰＣ符号化技術によって符号化および復号化する。ここでは、符号化器において入力信号の拡張帯域のＬＰＣ分析が行われ、残留信号のサブフレームのＬＰＣ係数と増幅率とが符号化される。復号化器では、拡張帯域の残留信号が生成され、伝送された増幅率とＬＰＣ合成フィルタとが出力信号を生成するのに使用される。上記のプロセスは、広帯域の入力信号に直接適用することができ、また、限界領域ないしは臨界領域でダウンサンプリングされた拡張帯域の副帯信号でも適用できる。
【００１０】
拡張ａａｃＰｌｕｓ符号化標準方式では、ＳＢＲ（Spectral Band Replication）技術が使用される。この技術では、広帯域の音響信号は６４チャネルＱＭＦフィルタバンクによって周波数副帯に分割される。高周波のフィルタバンクチャネルには、綿密に考えられ技術的に高度に開発されたパラメトリック符号化が、信号成分の副帯に適用される。そのためには、ビットストリーム内容を検査するために、多数の検出器および評価回路が必要とされ、使用される。公知の標準方式および符号化‐復号化方式では、すでに音声信号のとりわけ音声品質の改善を実現できるにもかかわらず、音声品質のさらなる改善のために努力を払わなければならない。また、上記の標準方式および符号化‐復号化方式は非常に面倒であり、構造が非常に複雑である。
【００１１】
したがって本発明の課題は、音声信号の帯域幅を疑似的に拡張するための方法および装置において、より良好な音声品質とより良好な音声理解性とを実現できる方法および装置を提供することである。さらに、このことを比較的簡単かつ簡便に実現できるようにしなければならない。
【００１２】
前記課題は、請求項１記載の特徴を有する方法と、請求項２３記載の特徴を有する装置によって解決される。
【００１３】
音声信号の帯域幅を疑似的に拡張するための本発明の方法では、以下のステップを実施する：
ａ）広帯域の入力音声信号を供給するステップ
ｂ）帯域幅拡張に必要な該広帯域の入力音声信号の信号成分を、該広帯域の入力音声信号の拡張帯域から検出するステップ
ｃ）該帯域幅拡張のために検出された信号成分の時間的な包絡線を検出するステップ
ｄ）該帯域幅拡張のために検出された信号成分のスペクトル包絡線を検出するステップ
ｅ）時間的な包絡線およびスペクトル包絡線の情報を符号化し、符号化された該情報を帯域幅の拡張を実施するために供給するステップ
ｆ）符号化された該情報を復号化し、帯域幅拡張された出力音声信号を生成するために、時間的な包絡線およびスペクトル包絡線を、符号化された該情報から復号化するステップ
本発明の方法によって、音声信号の伝送時に音声理解性と音声品質とを改善することができる。ここでは、音声信号は音響信号も指す。さらに、本発明による方法は伝送時の妨害に対して非常にロバストでもある。
【００１４】
有利には、帯域幅拡張に必要な信号成分はフィルタリングによって、とりわけバンドパスフィルタリングによって広帯域の入力音声信号から検出される。こうすることにより、必要な信号成分を簡単かつ簡便に選択できるようになる。
【００１５】
ステップｃ）で行われる時間的な包絡線の検出は有利には、ステップｄ）で行われるスペクトル包絡線の検出に依存せずに行われる。こうすることにより、これらの包絡線の検出は精確に行われ、相互間の影響が回避される。
【００１６】
有利には、時間的な包絡線およびスペクトル包絡線の符号化をステップｅ）で行う前に、該時間的な包絡線およびスペクトル包絡線の量子化を行う。有利にはステップｄ）において、スペクトル包絡線を検出するために、帯域幅拡張のために検出された信号成分のスペクトル副帯の信号出力を検出する。特徴づけのために必要な時間的な包絡線およびスペクトル包絡線を、このようにして非常に精確に検出することができる。
【００１７】
スペクトル副帯の信号出力を検出するために有利なのは、帯域幅拡張のために検出された信号成分の信号セグメントを生成することである。この信号セグメントはとりわけ変換され、とりわけＦＦ（Fast Fourier）変換される。さらに有利には、ステップｃ）において時間的な包絡線を検出するために、帯域幅拡張のために検出された信号成分の時間的な信号セグメントの信号出力を検出する。このことにより、必要なパラメータの検出を簡便に行うことができる。
【００１８】
有利にはステップｆ）において、時間的な包絡線およびスペクトル包絡線の再構築された形状に関する符号化された情報が復号化される。
【００１９】
有利には、復号化器において該復号化器に伝送された信号から励振信号が生成される。この伝送された信号の信号出力は、広帯域の入力音声信号の周波数領域に相応する周波数領域において、励振信号の生成を可能にする信号出力である。復号化器には有利には、広帯域の入力音声信号の拡張帯域の帯域領域の周波数を下回る周波数を含む帯域領域を有する変調された狭帯域信号が、励振信号の生成のために伝送される。励振信号は有利には、復号化器へ伝送された信号の基本周波数の高調波を有する。
【００２０】
時間的な包絡線の復号化された情報と励振信号とから、有利には第１の補正係数が求められる。さらに、第１の補正係数と励振信号とから時間的な包絡線の再構築形成を行い、とりわけ第１の補正係数と励振信号との乗算によって行う。さらに有利には、時間的な包絡線の再構築形成されたものをフィルタリングし、このフィルタリングでインパルス応答を生成する。このインパルス応答と、時間的な包絡線の再構築形成とから、スペクトル包絡線の再構築形成を行う。また、スペクトル包絡線の再構築形成から、広帯域の入力音声信号の拡張帯域の信号成分を再構築する。こうすることにより、時間的な包絡線およびスペクトル包絡線の再構築を、非常に確実かつ非常に精確に行うことができる。
【００２１】
有利な実施形態では、復号化器に、広帯域の入力信号の拡張帯域の周波数を下回る周波数を含む帯域領域を有する狭帯域の信号が伝送される。
【００２２】
帯域幅拡張された出力音声信号は有利には、復号化器に伝送された狭帯域の信号とスペクトル包絡線の再構築形成とから、とりわけこれら両信号の加算から検出され、復号化器の出力信号として供給される。このようにして、高い音声理解性と音声品質とを保証する出力信号を生成および供給することができる。
【００２３】
ステップａ）〜ｅ）は有利には、有利には送信側に配置された符号化器で行われる。ステップｅ）で生成された符号化された情報は、有利にはデジタル信号として復号化器へ伝送される。少なくともステップｆ）は、有利には受信側で行われる。ここでは、復号化器は受信側に配置される。しかし、本発明による方法のすべてのステップａ）〜ｆ）を受信側で行うこともできる。この場合、ステップａ）〜ｅ）は受信側で、（異なって実施される）評価法に置換される。ステップａ）〜ｅ）を別個に、送信側で行うこともできる。
【００２４】
広帯域の入力音声信号は有利には、約５０Ｈｚ〜７ｋＨｚの間の帯域幅を有する。広帯域の入力音声信号の拡張帯域は、有利には約３．４ｋＨｚ〜約７ｋＨｚの周波数領域を有する。さらに狭帯域の信号は、約５０Ｈｚ〜約３．４ｋＨｚの広帯域の入力音声信号の信号領域を有する。
【００２５】
音声信号の帯域幅を疑似的に拡張するための本発明の装置は、広帯域の入力音声信号が印加されるように構成されており、少なくとも以下の構成要素を含む：
ａ）帯域幅拡張に必要な該広帯域の入力音声信号の信号成分を、該広帯域の入力音声信号の拡張帯域から検出するための手段
ｂ）該帯域幅拡張のために検出された信号成分の時間的な包絡線を検出するための手段
ｃ）該帯域幅拡張のために検出された信号成分のスペクトル包絡線を検出するための手段
ｄ）時間的な包絡線およびスペクトル包絡線の情報を符号化し、符号化された情報を帯域幅の拡張を実施するために供給するための符号化器
ｅ）符号化された情報を復号化し、帯域幅拡張された出力音声信号を生成するために、時間的な包絡線およびスペクトル包絡線を、該符号化された包絡線から復号化するための復号化器
本発明の装置によって、たとえば移動無線端末機器またはＩＳＤＮ機器等の通信機器における伝送時の音声信号の音声品質が改善され、かつ音声理解性も改善される。
【００２６】
ａ）〜ｄ）の手段は、有利には符号化器として構成される。この符号化器は送信側または受信側に配置することができ、復号化器は受信側に配置される。
【００２７】
本発明の方法の有利な実施形態は、転用可能である限り、本発明の装置の有利な実施形態としても見なすことができる。
【００２８】
以下で本発明の実施例を、概略的な図面に基づいて詳細に説明する。
【００２９】
図面
図１  本発明による装置の符号化器を示す。
【００３０】
図２  本発明による装置の復号化器を示す。
【００３１】
以下で本発明を詳細に説明するにあたり、音声信号という概念は音響信号も指す。図１および図２では、同一要素および同機能の要素に同一の参照記号が付与されている。
【００３２】
図１に、音声信号の帯域幅を疑似的に拡張するための本発明の装置の符号化器１の概略的なブロック回路図が示されている。符号化器１は、ハードウェアで実装することができ、またソフトウェアでアルゴリズムとしても実装することができる。符号化器１はこの実施例では、広帯域の入力音声信号Ｓiwb（ｋ）をバンドパスフィルタリングするために構成されたブロック１１を有する。さらに符号化器１は、ブロック１１に接続されたブロック１２およびブロック１３を有する。ブロック１２はここでは、帯域幅拡張のために検出された信号成分の時間的な包絡線を検出するために構成されている。この信号成分は、広帯域の入力音声信号の拡張帯域から検出される。これに相応してブロック１３は、帯域幅拡張のために検出された信号成分のスペクトル包絡線を検出するために構成されている。この信号成分は、広帯域の入力音声信号の拡張帯域から検出される。
【００３３】
さらに、図１に示された内容から、ブロック１２およびブロック１３はブロック１４に接続されているのが見て取れる。ブロック１４は、ブロック１２ないしは１３によって生成された時間的な包絡線およびスペクトル包絡線を量子化するために構成されている。
【００３４】
図１にはさらに、バンドパスフィルタとして構成されたブロック２が示されている。このブロック２には、広帯域の入力音声信号ｓiwb（ｋ）が印加される。さらに、ブロック２は別のブロック３に接続されている。このブロック３は、別の符号化器として構成されている。
【００３５】
この実施例では、符号化器１およびブロック２および３は第１の電話機内に配置されている。広帯域の入力音声信号は、この実施例では約５０Ｈｚ〜約７ｋＨｚの帯域幅を有する。本発明では、図１に示された内容から見て取れるように、この広帯域の入力音声信号ｓiwb（ｋ）は符号化器１のバンドパスフィルタないしはブロック１１に印加される。
【００３６】
このブロック１１によって、帯域幅拡張に必要な信号成分が、この実施例では約３．４ｋＨｚ〜約７ｋＨｚの帯域幅を有する拡張帯域から検出される。帯域幅拡張に必要な信号成分は信号ｓeb（ｋ）によって表され、ブロック１１の出力信号として両ブロック１２および１３へ伝送される。
【００３７】
ブロック１２において、この信号ｓeb（ｋ）から時間的な包絡線が検出される。
【００３８】
これに相応してブロック１３において、信号ｓeb（ｋ）によって表される信号成分のスペクトル包絡線が検出される。
【００３９】
以下で、前記の時間的な包絡線およびスペクトル包絡線の検出を詳細に説明する。まず、帯域幅拡張に必要な信号成分を表す信号ｓeb（ｋ）が分割され、この窓化された信号セグメントとが変換される。
【００４０】
信号ｓeb（ｋ）は、それぞれｋ‐サンプリング値の長さを有するフレームに分割される。後続のすべてのステップおよび部分アルゴリズムは、一貫してフレームに基づいて行われる。有利には、（たとえば１０ｍｓまたは２０ｍｓまたは３０ｍｓの期間を有する）すべての音声フレームが、複数の下位フレーム（たとえば２．５または５ｍｓの期間）に下位分割される。
【００４１】
その後、窓化された信号セグメントは変換される。その際、この実施例では変換は、周波数空間でＦＦＴ（Fast Fourier Transform）によって行われる。ＦＦＴ変換された信号セグメントは、ここで以下の数式１）にしたがって求められる：
【数１】
2008513848.tif 000003
【００４２】
前記数式１）では、ＮfはＦＦＴ長ないしはフレームサイズを示し、μはフレームインデックスを示し、Ｍfは窓化された信号セグメントのフレームのオーバーラップを示す。さらに、Ｗf（Ｋ）は窓関数を示す。次に、周波数空間で拡張帯域の周波数領域の副帯で信号出力を計算する。信号強度ないしは信号出力のこのような計算は、以下の数式２）にしたがって行われる。
【００４３】
【数２】
2008513848.tif 000004
【００４４】
この数式２）では、λは相応の副帯のインデックスを示し、ＥＢλは、第λ番目の周波数空間窓で非ゼロ係数を有するすべてのＦＦＴインターバル領域ｉを含む集合を表す。数式２）による副帯の信号出力Ｐf（μ，λ）は、復号化器へ伝送されるスペクトル包絡線の情報を表す。
【００４５】
時間領域で行われる時間的な包絡線の検出は、スペクトル包絡線の検出と同様に行われ、バンドパスフィルタリングされた広帯域の入力音声信号ｓiwb（ｋ）の窓化された短時間のセグメントに基づく。このようにして、時間的な包絡線の検出時にも信号ｓeb（ｋ）の信号セグメントが考慮される。
【００４６】
窓化された各セグメントごとに、信号出力を以下の数式３）にしたがって計算する。
【００４７】
【数３】
2008513848.tif 000005
【００４８】
上記数式３）では、Ｎtはフレーム長を示し、ｖはフレームインデックスを示し、Ｍiはここでも信号セグメントのフレームのオーバーラップを示す。ここでは一般的に、時間的な包絡線を抽出するために使用されるフレーム長ＮtおよびフレームのオーバーラップＭtは、スペクトル包絡線の検出のために使用される相応の量ＮtおよびＭtより小さいかないしは非常に小さいことに留意すべきである。
【００４９】
時間的な包絡線のパラメータを信号ｓeb（ｋ）から抽出するための択一的手段に、該信号ｓeb（ｋ）のヒルベルト変換（９０°移相フィルタ）を実施する手段がある。フィルタリングされた部分のショートセグメント信号出力と信号ｓeb（ｋ）の本来の部分とを加算することにより、短時間の時間的な包絡線が得られる。これはダウンサンプリングされ、信号出力Ｐt（ｖ）が求められる。信号セグメントの信号出力Ｐt（ｖ）は、時間的な包絡線の情報を表す。
【００５０】
数式２）および３）にしたがって抽出された信号出力のパラメータを表す、時間的な包絡線を表す信号ｓpt（ｖ）およびスペクトル包絡線を表す信号ｓpf（μ，λ）は、ブロック１４において量子化および符号化される。ブロック１４の出力信号はデジタル信号ＢＷＥであり、符号化済みの形態で時間的な包絡線の情報とスペクトル包絡線の情報とを含むビットストリームを表す。
【００５１】
このデジタル信号ＢＷＥは復号化器へ伝送される。以下で、この復号化器を詳細に説明する。ここで留意されたいのは、数式２）および３）にしたがって抽出された信号強度のパラメータ間のリダンダンシーで、たとえばベクトル量子化によって行われるような共通ないしは結合的な符号化を行えることである。
【００５２】
また、図１に示されているように、広帯域の入力音声信号ｓiwb（ｋ）はブロック２にも伝送される。バンドパスフィルタとして構成されたこのブロック２によって、広帯域の入力音声信号ｓiwb（ｋ）の狭帯域の領域の信号成分がフィルタリングされる。この狭帯域の領域は、この実施例では５０Ｈｚ〜３．４ｋＨｚの間にある。ブロック２の出力信号は狭帯域信号ｓnb（ｋ）であり、この実施例では別の符号化器として構成されたブロック３へ伝送される。ブロック３において狭帯域信号ｓnb（ｋ）は符号化され、デジタル信号ＢＷＮとしてビットストリームとして、以下で説明する復号化器へ伝送される。
【００５３】
図２に、音声信号の帯域幅を疑似的に拡張するための本発明の装置の前記のような復号化器５の概略的なブロック回路図が示されている。図２に示されているように、デジタル信号ＢＷＮはまず別の復号化器４へ伝送され、該復号化器４は、該デジタル信号ＢＷＮに含まれる情報を復号化し、該情報から狭帯域信号ｓnb（ｋ）を生成し戻す。さらに復号化器４は、副次的情報を含む別の信号ｓsi（ｋ）も生成する。この副次的情報は、たとえば増幅率またはフィルタリング係数である。この信号ｓsi（ｋ）は、復号化器５のブロック５１へ伝送される。ブロック５１はこの実施例では、拡張帯域の周波数領域で励振信号を生成するために構成されており、このために信号ｓsi（ｋ）の情報が考慮される。
【００５４】
さらに、この実施例では受信側内に配置された復号化器５は、符号化器１と復号化器２との間で伝送区間を介して伝送された信号ＢＷＥを復号化するために構成されたブロック５２を有する。ここで、デジタル信号ＢＷＮもこの伝送区間を介して符号化器１と復号化器５との間で伝送されることに留意されたい。図２に示されているように、ブロック５１もブロック５２も復号化領域５３〜５５に接続されている。復号化器５の動作原理、ないしは本発明の方法の復号化器５で実施されるステップを、以下で詳細に説明する。
【００５５】
すでに上記で述べたように、符号化されたデジタル信号ＢＷＥに含まれる情報はブロック５２で復号化され、数式２）および３）にしたがって計算され時間的な包絡線およびスペクトル包絡線を表す信号出力が再構築される。図２に示されているように、ブロック５１で生成された励振信号ｓexc（ｋ）は、時間的な包絡線およびスペクトル包絡線を再構築形成するための入力信号である。
【００５６】
この励振信号ｓexc（ｋ）は、基本的に任意の信号とすることができる。この励振信号ｓexc（ｋ）の基本的な前提条件として、該励振信号が広帯域の入力スペクトル信号ｓiwb（ｋ）の拡張帯域の周波数領域において十分な信号出力を有するということが成立するようにしなければならない。たとえば励振信号ｓexc（ｋ）として、狭帯域の信号ｓnb（ｋ）の変調形態を使用するか、または任意のノイズを使用することができる。すでに述べたようにこの励振信号ｓexc（ｋ）は、広帯域の出力音声信号ｓ°wb（ｋ）の拡張帯域の信号成分においてスペクトル包絡線および時間的な包絡線の細密構造化に重要である。それゆえこの励振信号ｓexc（ｋ）を、該励振信号ｓexc（ｋ）が狭帯域の信号ｓnb（ｋ）の基本周波数の高調波を有するように形成するのが有利である。
【００５７】
階層的な音声符号化の場合、こうするために別の復号化器４のパラメータを使用することができる。たとえば、Δkが基本周波数の比率偏差または実際値偏差であり、ｂがＣＥＬＰ狭帯域復号化器における適応的符号ブックのＬＴＢ増幅率である場合、たとえば、その時点の基本周波数の整数倍である高調波周波数による励振を、任意の信号ｎeb（ｋ）から、バンドパスフィルタのＬＴＰ合成フィルタリング（拡張帯域の周波数領域）によって行うことができる。
【００５８】
ここでは、励振信号は以下の数式４）にしたがって得られる。
【００５９】
【数４】
2008513848.tif 000006
【００６０】
ここでは、ＬＴＰ増幅率を関数ｆ（ｂ）によって低減または制限することにより、拡張帯域の生成される信号成分の過剰有声化（Ueberstimmhaftigkeit）を阻止することができる。合成的な広帯域励振を、狭帯域のコーデックのパラメータによって実施できるようにするために、他に実施できる択一的手段は複数存在することに留意されたい。
【００６１】
励振信号を生成できるようにするための別の手段に、狭帯域の信号ｓnb（ｋ）を、固定的な周波数を有する正弦関数によって変調するか、または上記ですでに言及したように、任意の信号ｎeb（ｋ）を直接使用する手段がある。励振信号ｓexc（ｋ）を生成するのに使用される方法は、デジタル信号ＢＷＥの生成、該デジタル信号ＢＷＥのフォーマットおよび該デジタル信号ＢＷＥの復号化に全く依存しないことを強調しておく。したがって、このことに関しては独立した調整を行うことができる。
【００６２】
以下で、時間的な包絡線の再構築形成を詳細に説明する。デジタル信号ＢＷＥは、すでに述べたようにブロック５２で復号化され、数式２）および３）にしたがって計算され時間的な包絡線およびスペクトル包絡線を表す信号出力のパラメータが、信号ｓpt(v)およびｓpf(μ,λ)に相応して供給される。図２に示されているように、この実施例ではまず、時間的な包絡線の再構築形成が行われる。これは復号化領域５３において行われる。こうするためには、励振信号ｓexc（ｋ）および信号ｓpt(v)がこの復号化領域５３へ伝送される。図２に示されているように、励振信号ｓexc（ｋ）はブロック５３１にも乗算器５３２にも伝送される。ブロック５３１には信号ｓpt(v)も伝送される。ブロック５３１に伝送された信号から、スカラ補正係数ｇ1（ｋ）が形成される。このスカラ補正係数ｇ1（ｋ）は、ブロック５３１から乗算器５３２へ伝送される。
【００６３】
その後、乗算器５３２において励振信号ｓexc（ｋ）とスカラ補正係数ｇ1（ｋ）とが乗算されて出力信号ｓ´exc（ｋ）が形成される。この出力信号ｓ´exc（ｋ）は、時間的な包絡線の再構築形成を特徴づける。この出力信号ｓ´exc（ｋ）はほぼ正しい時間的な包絡線を有するが、正しい周波数の点では未だ不正確ないしは不精確であるため、次のステップでスペクトル包絡線の再構築形成を行って、この不精確な周波数を必要な周波数に適合できるようにしなければならない。
【００６４】
図２に示されているように、出力信号ｓ´exc（ｋ）は復号化器５の第２の復号化領域５４へ伝送され、ここへは信号ｓpf(μ,λ)も伝送される。第２の復号化領域５４はブロック５４１およびブロック５４２を有し、ブロック５４１は出力信号ｓ´exc（ｋ）をフィルタリングするために構成されている。出力信号ｓ´exc（ｋ）および信号ｓpf(μ,λ)からインパルス応答ｈ（ｋ）が生成され、ブロック５４１からブロック５４２へ伝送される。ブロック５４２では、出力信号ｓ´exc（ｋ）およびインパルス応答ｈ（ｋ）からスペクトル包絡線の再構築形成が行われる。再構築されたこのスペクトル包絡線は、ブロック５４２の出力信号ｓ″exc（ｋ）によって表される。
【００６５】
図２に示された実施例では、次に第２の復号化領域５４の出力信号ｓ″exc（ｋ）の生成に基づいて、時間的な包絡線の再構築形成を復号化器５の第３の復号化領域５５で再度行う。時間的な包絡線の再構築形成は、第１の復号化領域５３で行われるのと同様に行われる。この再構築形成では第３の復号化領域５５において、出力信号Ｓ″exc（ｋ）および信号ｓpt(v)からブロック５５１によって第２のスカラ補正係数ｇ2（ｋ）が生成され、乗算器５５２へ伝送される。
【００６６】
復号化器５の第３の復号化領域５５の出力信号として、帯域幅拡張のために必要な信号成分を表す信号ｓeb（ｋ）が供給される。この信号ｓeb（ｋ）は加算器５６へ伝送され、該加算器５６へは狭帯域の信号ｓnb（ｋ）も伝送される。狭帯域の信号ｓnb（ｋ）と信号ｓeb（ｋ）との加算により、帯域幅拡張された出力信号ｓ°wb（ｋ）が形成され、復号化器５の出力信号として供給される。
【００６７】
図２に示された実施形態は単なる例であり、本発明では、第１の復号化領域５３で行われるような時間的な包絡線の１回の再構築形成と、第２の復号化領域５４で行われるようなスペクトル包絡線の１回の再構築形成だけですでに十分であることに留意されたい。また、第２の復号化領域５４で行われるスペクトル包絡線の再構築形成を、第１の復号化領域５３で行われる時間的な包絡線の再構築形成の前に行えることにも留意されたい。換言するとこのような実施形態では、第２の復号化領域５４は第１の復号化領域５３の前に配置される。しかし、時間的な包絡線の再構築形成とスペクトル包絡線の再構築形成の交互の実施が再度続行され、たとえば図２に示された実施形態では、第３の復号化領域５５の次に別の付加的な復号化領域が配置され、この復号化領域でスペクトル包絡線の再構築形成が再度行われるように構成することもできる。
【００６８】
すでに上記で述べたように、本発明はこの実施例において、有利には約５０Ｈｚ〜７ｋＨｚの周波数領域を有する広帯域の入力音声信号に適用される。また、本発明はこの実施例において、音声信号の帯域幅を疑似的に拡張するためにも構成されている。ここでは拡張帯域は、約３．４ｋＨｚ〜約７ｋＨｚの周波数領域によって予め定められる。しかし、低周波の周波数領域にある拡張帯域に本発明が適用されるように構成することもできる。ここでは、たとえば拡張帯域は、約５０Hz以下の周波数から約３．４ｋHzの周波数領域までの周波数領域を有する。音声信号の帯域幅を疑似的に拡張する本発明の方法を使用して、拡張帯域の周波数領域が少なくとも部分的に約７ｋＨｚの周波数を上回り、たとえば最大８ｋＨｚの周波数を上回り、とりわけ１０ｋＨｚ以上の周波数を上回るようにもできることを明示的に強調したい。
【００６９】
すでに述べたように、時間的な包絡線の再構築形成は図２によれば第１の復号化領域５３において、第１のスカラ補正係数ｇ1（ｋ）と励振信号ｓexc（ｋ）との乗算によって行われる。
【００７０】
ここでは、時間領域での乗算は周波数領域でのたたみ込み演算に相応することに留意されたい。したがって、以下の数式５）が成り立つ。
【００７１】
【数５】
2008513848.tif 000007
【００７２】
スペクトル包絡線が基本的に第１の復号化領域５３によって変化しない限りは、第１のスカラ補正係数ないしは増幅率ｇ1（ｋ）は厳密なローパス周波数特性を有するはずである。
【００７３】
この増幅率ないしは第１の補正係数ｇ１（ｋ）を計算するためには、すでに上記で、符号化器１においてブロック１２によって信号ｓeb（ｋ）から時間的な包絡線の抽出の分割および分析、ないしは信号ｓpt(v)の生成の分割および分析で行ったように、励振信号ｓexc（ｋ）を分割および分析する。
【００７４】
数式３）による計算のように復号化された信号出力と信号強度Ptexc（ｖ）の分析結果との比によって、第ｖ番目の信号セグメントの所望の増幅率γ（ｖ）が得られる。第ｖ番目の信号セグメントのこの増幅率は、次の数式６）にしたがって算出される。
【００７５】
【数６】
2008513848.tif 000008
【００７６】
この増幅率γ（ｖ）から、増幅率ないしは第１の補正係数ｇ1（ｋ）が補間およびローパスフィルタリングによって計算される。このローパスフィルタリングは、上記増幅率ないしは第１の補正係数ｇ1（ｋ）がスペクトル包絡線に及ぼす影響を制限するのに決定的に重要である。
【００７７】
拡張帯域の必要な信号成分のスペクトル包絡線の再構築形成は、時間的な包絡線の再構築形成を特徴づける出力信号ｓ´exc（ｋ）のフィルタリングによって求められる。フィルタ演算は、ここでは時間領域または周波数空間で実現することができる。インパルス応答ｈ（ｋ）の大きな時間散乱ないしは時間拡がりを回避できるようにするためには、相応の周波数特性Ｈ（ｚ）を平滑化することができる。所望の周波数特性を決定できるようにするためには、第１の復号化領域５３の出力信号ｓ´exc（ｋ）を分析することにより、Ｐfexc(μ,λ)の信号出力を見つけられるようにする。拡張帯域の周波数領域の相応の副帯の所望の増幅率Φ（μ，λ）は、以下の数式７）にしたがって計算される。
【００７８】
【数７】
2008513848.tif 000009
【００７９】
スペクトル包絡線の成形フィルタの周波数特性Ｈ（μ，ｉ）は、増幅率Φ（μ，λ）の補間と、周波数を考慮して行われる平滑化とによって計算することができる。スペクトル包絡線の成形フィルタを時間領域で使用する場合、たとえば線形位相ＦＩＲフィルタによって使用する場合、フィルタ係数は周波数特性Ｈ（μ，ｉ）の逆ＦＦ変換と後続の窓化とによって計算することができる。
【００８０】
上記の実施形態によって説明および図示したように、時間的な包絡線の再構築形成はスペクトル包絡線の再構築形成に影響し、その逆にも影響する。したがって有利には、この実施例で説明しかつ図２に示したように、時間的な包絡線の再構築形成とスペクトル包絡線の再構築形成とを交互に行うのを、繰り返しプロセスで行うのが有利である。このことにより、復号化器で再構築された拡張帯域の信号成分の時間的な包絡線およびスペクトル包絡線の一致が格段に改善され、符号化器で生成された相応の時間的な包絡線およびスペクトル包絡線を実現することができる。
【００８１】
図２にしたがって説明した実施例では、１．５倍の繰り返し（時間的な包絡線の再構築、スペクトル包絡線の再構築および時間的な包絡線の再度の再構築）が行われる。本発明によって実現されるような帯域幅拡張により、高調波を有する励振信号を正しい周波数で、たとえばその時点の音の基本周波数の整数倍で生成するのが容易になる。ここで留意すべきなのは、本発明は、広帯域の入力信号のダウンサンプリングされた副帯信号成分にも適用できることである。このことは、計算の手間が小さいことが必要である場合に有利である。
【００８２】
有利には、符号化器１およびブロック２および３は送信側に配置される。論理的には、ブロック２および３ならびに符号化器１で実施されるステップも送信側で実施される。ブロック４および復号化器５は、有利には受信側に配置される。したがって、復号化器５およびブロック４で実施されるステップが受信側で処理されることも理解できる。ここで、符号化器１で実施されるステップは復号化器５において実施され、ひいてはもっぱら受信側で実施されるように本発明を実現できることも留意されたい。その際には、数式２）および３）にしたがって計算された信号出力が復号化器５において評価されるように構成することができる。とりわけ、ブロック５２は信号出力のこのパラメータを評価するために構成される。このような構成により、デジタル信号ＢＷＥで伝送される副次的情報の発生する可能性のある伝送誤りを抑圧することができる。たとえばデータ損失等によって失われた包絡線のパラメータを一時的に評価することにより、信号帯域幅の面倒な切り換えを阻止することができる。
【００８３】
音声信号の帯域幅を疑似的に拡張する従来の方法と異なり、本発明では、すでに使用された増幅率およびフィルタ係数を副次的情報として伝送することはなく、所望の時間的な包絡線およびスペクトル包絡線を副次的情報として復号化器へ伝送するだけである。このようにして初めて、増幅率およびフィルタ係数は、受信側に配置された復号化器で計算される。このような構成により、受信側の帯域幅の疑似的な拡張を簡便に分析し、場合によっては補正できるようになる。さらに、本発明による方法および本発明による装置は、励振信号の妨害に対して非常にロバストであり、たとえば、受信された狭帯域の信号のこのような妨害が伝送誤りによって引き起こされるのに対して非常にロバストである。
【００８４】
時間的な包絡線およびスペクトル包絡線の分析、伝送および再構築成形を別個に行うことにより、時間領域でも周波数領域でも、時間的および周波数空間の非常に良好な分解能ないしは細分化が実現できるようになる。それゆえ、静的な音および音質の再現性も、一時的ないしは短時間の信号の再現性も非常に良好になる。音声信号に関してはとりわけ、このような格段に改善された時間分解能によって、破裂音（Stoppkonsonant, Plosiv）の再現が良好になる。
【００８５】
従来の帯域幅拡張と比較して、本発明によって、ＬＰＣ合成フィルタの代わりに線形位相ＦＩＲフィルタによる周波数成形を行えるようになる。このことにより、典型的なアーティファクト（"filter ringing"）が低減できるようになる。さらに、本発明によって非常にフレキシブルかつモジュール的な構成が可能になり、さらに、受信側ないしは復号化器５内の個々のブロックを簡単に交換または調整できるようになる。有利には、このような変更または調整を行うために、送信側ないしは符号化器１、または、符号化された情報を復号化器５ないしは受信側へ伝送するための伝送信号のフォーマットを変更しなくてもよい。さらに本発明による方法によって、異なる復号化器を動作させることができる。このことにより、広帯域の入力信号の再形成を、使用可能な計算能力に依存して異なる精度で行うことができる。
【００８６】
また、スペクトル包絡線および時間的な包絡線を表す受信されたパラメータが、帯域幅の拡張に使用できるだけでなく、さらに、たとえば再フィルタリング等の後続の信号処理ブロック、または変換符号化器等の付加的な符号化段をサポートするのにも使用できることにも留意すべきである。
【００８７】
このようにして得られ、たとえば帯域幅拡張のためのアルゴリズムへ供給される狭帯域の音声信号ｓnb（ｋ）は、たとえばサンプリング周波数が係数２だけ低減されるのにしたがい、８ｋＨｚのサンプリングレートで得ることができる。
【００８８】
本発明と、本発明の基礎となる帯域幅拡張原理とによって、Ｇ．７２９Ａ＋−標準方式の情報の広帯域の励振を発生することができる。デジタル信号ＢＷＥで伝送される副次的情報のデータレートは、約２ｋｂｉｔ／ｓとすることができる。さらに本発明では、必要とされる計算システムの複雑性が比較的低くなり、ないしは複雑な計算上の手間が比較的小さくなり、３ＷＭＯＰＳを下回る。さらに、本発明による方法および本発明による装置は、Ｇ．７２９Ａ＋−標準方式のベースバンド妨害に対して非常にロバストである。本発明は有利には、Ｖｏｉｃｅ ｏｖｅｒ ＩＰの用途にも使用することができる。さらに、本発明の方法および本発明の装置はＴＤＡＣ包絡線に対して両立性を有する。とりわけ本発明は、構成が非常にモジュール的かつフレキシブルであり、かつコンセプト化がモジュール的およびフレキシブルである。
【図面の簡単な説明】
【００８９】
【図１】本発明による装置の符号化器を示す。
【図２】本発明による装置の復号化器を示す。
【図１】
2008513848.tif 000010
【図２】
2008513848.tif 000011
【国際調査報告】
2008513848.tif 000012
2008513848.tif 000013
2008513848.tif 000014
2008513848.tif 000015